(57)【特許請求の範囲】
【請求項１】
空気吸込口および空気吹出口を有する筺体と、
前記空気吸込口から前記空気吹出口へと連結する風路と、
前記風路に配置されるターボファンと、
前記ターボファンの下流側かつ前記空気吹出口の上流側に配置される熱交換器と、を備え、
前記空気吸込口は、前記筺体の上面側および下面側の少なくとも一方に形成され、
前記空気吹出口は、前記筺体の前面側に形成され、
前記熱交換器は、
前記ターボファンの前面及び両側面に位置し、
前記ターボファンの両側面に位置する前記熱交換器間の距離は前面に向かって狭まる
ことを特徴とする空気調和機。
【請求項２】
前記ターボファンを少なくとも２つ備え、
１つの前記ターボファンに対して、前記熱交換器が該ターボファンの前面及び両側面を囲むように配置する
ことを特徴とする請求項１に記載の空気調和機。
【請求項３】
前記ターボファンと、他の前記ターボファンとの間に配置される仕切り板を備え、
前記熱交換器の前記仕切り板の側と前記仕切り板との距離は、
前記筺体の前面に向かって広がるように形成されている
ことを特徴とする請求項２に記載の空気調和機。
【請求項４】
前記ターボファンが前記筺体の背面側から前記筺体の前面側に向かって回転する側における前記熱交換器の側面側と前記ターボファンとの間の最短距離を第１距離とし、
前記ターボファンが前記筺体の前面側から前記筺体の背面側に向かって回転する側における前記熱交換器の側面側と前記ターボファンとの間の最短距離を第２距離として、
前記第１距離を前記第２距離よりも長くする
ことを特徴とする請求項１に記載の空気調和機。
【請求項５】
前記ターボファンが前記筺体の背面側から前記筺体の前面側に向かって回転する側における前記熱交換器の側面側と前記風路の壁面の間との最短距離を第３距離とし、
前記ターボファンが前記筺体の前面側から前記筺体の背面側に向かって回転する側における前記熱交換器の側面側と前記風路の壁面との間の最短距離を第４距離として、
前記第３距離を前記第４距離よりも長くする
ことを特徴とする請求項１に記載の空気調和機。
【請求項６】
前記ターボファンが前記筺体の前面側から前記筺体の背面側に向かって回転する側における前記熱交換器の側面側の直線部の距離を第５距離とし、
前記ターボファンが前記筺体の背面側から前記筺体の前面側に向かって回転する側における前記熱交換器の側面側の直線部の距離を第６距離として、
前記第５距離を前記第６距離よりも長くする
ことを特徴とする請求項１に記載の空気調和機。
【請求項７】
空気吸込口および空気吹出口を有する筺体と、
前記空気吸込口から前記空気吹出口へと連結する風路と、
前記風路に配置される少なくとも２つのターボファンと、
前記ターボファンの下流側かつ前記空気吹出口の上流側に配置される熱交換器と、
２つの前記ターボファンの間に位置し、前記熱交換器に接続される冷媒配管と、を備え、
前記空気吸込口は、前記筺体の上面側および下面側の少なくとも一方に形成され、
前記空気吹出口は、前記筺体の前面側に形成され、
前記熱交換器は、前記ターボファンの前面及び両側面に位置し、前記冷媒配管が位置する側における側面の距離が、他側における側面の距離よりも短い
ことを特徴とする空気調和機。
【発明の詳細な説明】
【技術分野】
【０００１】
本発明は、空気調和機に関し、特にターボファンを備える空気調和機に関する。
【背景技術】
【０００２】
空気調和機の室内機は、吸込口および吹出口が形成された室内機の筺体の内部に、室内熱交換器、ファン等を収納して構成されている。該室内機は、ファンにより発生した負圧により吸込口から室内空気を吸引し、室内熱交換器でその室内空気と冷凍サイクル内の冷媒との間で熱交換させて調和空気を生成し、この調和空気を吹出口から吹き出して室内の空調を行うように構成されている。なお、このような空気調和機は、壁掛け型、天井吊り下げ型、スタンド型といった様々な製品群がある。
【０００３】
従来の壁掛け型室内機として、例えば、特許文献１（特開２０００−２０５５８８号公報）には、ターボファンを備える空気調和装置の室内機が開示されている。即ち、特許文献１の室内機は、『ケーシングの下面に吸込口を、前面及び両側面に吹出口を形成する。ケーシング内の空気通路には、吹出口に沿ってコ字状の熱交換器を配置し、熱交換器の背面側にターボファンを２つ並べて配置する。』と記載されている（要約参照）。
【先行技術文献】
【特許文献】
【０００４】
【特許文献１】特開２０００−２０５５８８号公報
【発明の概要】
【発明が解決しようとする課題】
【０００５】
特許文献１に開示された空気調和機の室内機では、２つのターボファンを囲うようにコ字状の室内熱交換器を配置している。このようなコ字状の室内熱交換器を製造加工する場合、扁平な室内熱交換器に２回の曲げ加工のみで製作できるため、製造コストを抑えることができる。
【０００６】
一方、特許文献１に開示された空気調和機の室内機では、近年の省エネ化の需要に伴う室内熱交換器長さの確保、言い換えると、伝熱面積の確保が困難であった。そのため、室内熱交換器の交換熱量の低下や通風抵抗の増加を招き、空気調和機の省エネルギ性の向上が困難であるという課題があった。
【０００７】
そこで、本発明は、省エネルギ性が向上する空気調和機を提供することを課題とする。
【課題を解決するための手段】
【０００８】
このような課題を解決するために、本発明に係る空気調和機は、空気吸込口および空気吹出口を有する筺体と、前記空気吸込口から前記空気吹出口へと連結する風路と、前記風路に配置されるターボファンと、前記ターボファンの下流側かつ前記空気吹出口の上流側に配置される熱交換器と、を備え、前記空気吸込口は、前記筺体の上面側および下面側の少なくとも一方に形成され、前記空気吹出口は、前記筺体の前面側に形成され、
前記熱交換器は、前記ターボファンの前面及び両側面に位置し、前記ターボファンの両側面に位置する前記熱交換器間の距離は前面に向かって狭まることを特徴とする。
【発明の効果】
【０００９】
本発明によれば、省エネルギ性が向上する空気調和機を提供することができる。
【図面の簡単な説明】
【００１０】
【図１】第１実施形態に係る空気調和機の構成模式図である。
【図２】室内熱交換器の分解斜視図である。
【図３】第１実施形態に係る空気調和機の室内機の側断面図である。
【図４】第１実施形態に係る空気調和機の室内機の上断面図である。
【図５】（ａ）は第１実施形態に係る空気調和機における室内熱交換器とターボファンとの配置と、室内空気の流れを示す上断面図であり、（ｂ）は（ａ）のＳ部の部分拡大図である。
【図６】第２実施形態に係る空気調和機の室内機の上断面図である。
【図７】第３実施形態に係る空気調和機の室内機の上断面図である。
【図８】第４実施形態に係る空気調和機の室内機の上断面図である。
【図９】第５実施形態に係る空気調和機の室内機の上断面図である。
【図１０】第６実施形態に係る空気調和機の室内機の上断面図である。
【図１１】第７実施形態に係る空気調和機の室内機の上断面図である。
【図１２】第８実施形態に係る空気調和機の室内機の上断面図である。
【図１３】第９実施形態に係る空気調和機の室内機の上断面図である。
【発明を実施するための形態】
【００１１】
以下、本発明を実施するための形態（以下「実施形態」という）について、適宜図面を参照しながら詳細に説明する。なお、各図において、共通する部分には同一の符号を付し重複した説明を省略する。
【００１２】
≪第１実施形態≫
第１実施形態に係る空気調和機１００について図１を用いて説明する。図１は、第１実施形態に係る空気調和機１００の構成模式図である。
【００１３】
図１に示すように、第１実施形態に係る空気調和機１００は、室外機１と、室内機２と、を備えている。室外機１は、作動流体を圧縮する圧縮機３と、作動流体の流れの向きを切り替えるための四方弁４と、作動流体と室外空気との間で熱交換させるための室外熱交換器５と、室外空気を室外機１の内部に取り込むためのプロペラファン６と、作動流体を膨張させる膨張弁７と、を備えている。室内機２は、作動流体と室内空気との間で熱交換させるための室内熱交換器８と、室内空気を室内機２の内部に取り込むためのターボファン９と、を備えている。また、圧縮機３、四方弁４、室外熱交換器５、膨張弁７、および、室内熱交換器８は、配管１０で接続され、作動流体が循環することができるようになっている。なお、作動流体は、Ｒ４１０ＡやＲ３２等の冷媒を用いることができる。
【００１４】
空気調和機１００の冷房運転時において、四方弁４は、図１の実線で示すように接続され、圧縮機３から吐出された作動流体（冷媒）は、室外熱交換器５、膨張弁７、室内熱交換器８の順に流れ、再び圧縮機３に循環するようになっている（図１の実線矢印参照）。一方、空気調和機１００の暖房運転時において、四方弁４は、図１の破線で示すように接続され、圧縮機３から吐出された作動流体（冷媒）は、室内熱交換器８、膨張弁７、室外熱交換器５の順に流れ、再び圧縮機３に循環するようになっている（図１の破線矢印参照）。
【００１５】
室外機１の内部では、室外空気はプロペラファン６によって吸引されて、室外熱交換器５を通過することにより、作動流体（冷媒）と室外空気との間で熱交換することができるようになっている。また、室内機２の内部では、室内空気はターボファン９によって押し出されて室内熱交換器８を通過することにより、作動流体（冷媒）と室内空気との間で熱交換することができるようになっている。そして、作動流体（冷媒）と熱交換することにより加熱または冷却された室内空気である調和空気を吹き出して室内の空調を行うようになっている。
【００１６】
次に、室内機２の内部に配置される室内熱交換器８の構造について図２を用いて説明する。図２は、室内熱交換器８の分解斜視図である。
【００１７】
図２に示すように、室内熱交換器８は、クロスフィンチューブ式熱交換器であり、複数のアルミニウム製のフィン１１を、Ｕ字状に曲げられた銅製の伝熱管１２が貫くように構成されている。フィン１１に挿入された伝熱管１２を液圧または機械的に拡管することにより、フィン１１と伝熱管１２とが密着する。また、伝熱管１２の端部には継手部品１３が溶接され、作動流体（冷媒）の流路が構成されている。
【００１８】
次に、室内機２の内部構造について図３および図４を用いて説明する。図３は、第１実施形態に係る空気調和機１００の室内機２の側断面図である。図４は、第１実施形態に係る空気調和機１００の室内機２の上断面図である。
【００１９】
図３に示すように、室内機２の上面および下面には室内空気を吸い込む吸込口１４が形成され、さらに室内機２の前面には調和空気を吹き出す吹出口１５が形成され、室内機２の内部には吸込口１４から吹出口１５へと連結する風路が形成されている。吸込口１４には、室内機２の内部に吸い込まれる室内空気からホコリを収集するためエアフィルタ１６が配置されている。吹出口１５には、風向板１７が配置され、風向板１７の角度を変更することで吹出口１５から吹き出される調和空気の風向を制御することができるようになっている。また、室内機２の背面下部のスペースには、冷媒配管１８とドレイン配管１９が設けられている。
【００２０】
室内機２内には、上下方向に２つのターボファン９が、室内機２に対して垂直なモータ軸２０に支えられて配置されており、ターボファン９から吹出口１５までの風路の途中に室内熱交換器８が配置されている。
【００２１】
上下の２つのターボファン９の間には扁平なファンモータ２１が配置されている。このファンモータ２１と、１本のモータ軸２０で支持される上下の２つのターボファン９とで、ターボファンユニット２６が構成される。ファンモータ２１によりターボファン９を動作させると、室内空気が吸込口１４から流入し、室内熱交換器８の伝熱管内部の作動流体（冷媒）と熱交換し、吹出口１５から調和空気を吹き出すようになっている。
【００２２】
室内熱交換器８の上面は、断熱材２２が配置されている。また、室内熱交換器８の下面にはドレインパン２３が設けられている。断熱材２２とドレインパン２３の素材には、例えば発泡スチロールなどを用いることができる。
【００２３】
図４に示すように、室内機２の背面と側面は、室内機２の筺体の壁で仕切られ、室内機２の中央には仕切り板２４が配置されている。また、室内機２の右側面には電気品箱２５と断熱材２２が配置され、左側面には断熱材２２が配置されている。
【００２４】
ターボファンユニット２６は、仕切り板２４を挟んで並列するように２つ（以下の説明において、右側面側をターボファンユニット２６Ａ、左側面側をターボファンユニット２６Ｂとする。）配置され、室内機２の前面の１方向に向かって調和空気を吹出す。このように、背面と側面を壁で仕切り、吹出方向を前面の１方向とすることで、調和空気の吹出し速度を高めて、調和空気を遠くまで飛ばすことができる。
【００２５】
室内熱交換器８は、各ターボファンユニット２６Ａ，２６Ｂを囲うように、略コの字状に２つ配置される。以下の説明において、右側面側のターボファンユニット２６Ａを囲う室内熱交換器８を室内熱交換器８Ａとし、左側面側のターボファンユニット２６Ｂを囲う室内熱交換器８を室内熱交換器８Ｂとする。２つの室内熱交換器８Ａ，８Ｂは、室内機２の背面にある冷媒配管スペース２７にて、継手部品（図示せず）が複数溶接され、冷媒流路を形成し、全体として１つの室内熱交換器８を構成する。
【００２６】
即ち、図４に示すように、１つのターボファンユニット２６（２６Ａ，２６Ｂ）に対して、１つの室内熱交換器８（８Ａ，８Ｂ）を略コ字状に囲うように配置するようになっている。換言すれば、１つのターボファンユニット２６（２６Ａ，２６Ｂ）の前面および両側面に室内熱交換器８（８Ａ，８Ｂ）が位置するように配置されている。また、仕切り板２４は、室内空気（調和空気）の流れからみて、室内熱交換器８の下流側（吹出口１５の側）に配置されている。
【００２７】
一方、従来技術である特許文献１（特開２０００−２０５５８８号公報）に開示された空気調和装置の室内機は、２つのターボファンユニットに対して、１つの室内熱交換器を略コ字状に囲うように配置している。また、仕切り板は、室内空気（調和空気）の流れからみて、室内熱交換器の上流側（ターボファンユニットの側）に配置されている。
【００２８】
このように、第１実施形態に係る空気調和機１００の室内機２は、１つのターボファンユニット２６（２６Ａ，２６Ｂ）に対して、１つの室内熱交換器８（８Ａ，８Ｂ）を略コ字状に囲うように配置することにより、従来技術である特許文献１（特開２０００−２０５５８８号公報）に開示された空気調和装置の室内機と比較して、限られた室内機２の領域内で、室内熱交換器８の長さを確保することができる、言い換えると、室内熱交換器８の伝熱面積を確保することができる。即ち、第１実施形態に係る空気調和機１００は、特許文献１に開示された空気調和装置と比較して、室内熱交換器８の熱交換性能を向上させることにより、空気調和機１００の省エネルギ性が向上する。
【００２９】
ここで、室内空気（調和空気）の流れからみて、室内熱交換器８（８Ａ，８Ｂ）の下流側（出口側、吹出口１５の側）において、流路が狭い室内熱交換器８の側面側と、流路が広い室内熱交換器８の前面側とで、通風抵抗差が生じるため、室内熱交換器８全体の風速分布が不均一となる。風速分布が不均一となるということは、換言すれば、室内熱交換器８の熱交換が効率的に行える領域と、効率的に行えない領域と、が発生することとなる。室内熱交換器８の熱交換性能を向上させ、空気調和機１００の省エネルギ性を向上させるためには、室内熱交換器８全体の風速分布ができるだけ均一となることが望ましい。
【００３０】
これに対し、図４に示すように、第１実施形態に係る空気調和機１００の室内機２の室内熱交換器８（８Ａ，８Ｂ）は、室内機２の前面側（吹出口１５の側）に向かって窄まるように形成されている。即ち、ターボファンユニット２６（２６Ａ，２６Ｂ）の両側面に位置する室内熱交換器８（８Ａ，８Ｂ）間の距離が前面に向かって狭まるように形成されている。また、室内熱交換器８の側面と室内機２の側面（断熱材２２または仕切り板２４）の間には所定の隙間を設け、さらに、この隙間は室内機２の前面側（吹出口１５の側）にいくほど拡大するように形成されている。
【００３１】
このように、第１実施形態に係る空気調和機１００の室内機２は、室内熱交換器８（８Ａ，８Ｂ）は、室内機２の前面側（吹出口１５の側）に向かって窄まるように形成することにより、室内機２の側面の隙間に流れ込む空気の増速を抑制できるため、最も出口風路の狭い室内熱交換器８の側面側にも風が流れやすくなり、風速分布を均一化することができる。即ち、第１実施形態に係る空気調和機１００は、室内熱交換器８の下流側（出口側、吹出口１５の側）における通風抵抗差を低減して、室内熱交換器８の長さの増加に伴う風速分布の悪化を改善し、室内熱交換器８の熱交換性能を向上させることにより、空気調和機１００の省エネルギ性が向上する。
【００３２】
また、第１実施形態に係る空気調和機１００は、室内熱交換器８の下流側（出口側、吹出口１５の側）における通風抵抗差を低減して、室内熱交換器８の側面と室内機２の側面（断熱材２２または仕切り板２４）の間の隙間に流れ込む空気（調和空気）の増速を抑制することにより、ターボファンユニット２６のファンモータ２１の負荷を低減することができ、空気調和機１００の省エネルギ性が向上する。
【００３３】
また、図４に示すように、第１実施形態に係る空気調和機１００の室内機２の２つのターボファンユニット２６（２６Ａ，２６Ｂ）は、双方が逆の方向に回転し、双方が前面側（吹出口１５の側）で仕切り板２４に向かう方向に回転する。即ち、図４に示すように、右側面側のターボファンユニット２６Ａは時計回りに回転し、左側面側のターボファンユニット２６Ｂは反時計回りに回転する。
【００３４】
ここで、室内空気（調和空気）の流れからみて、室内熱交換器８の上流側（入口側、ターボファンユニット２６の側）における室内空気の流れについて図５を用いて説明する。図５（ａ）は、第１実施形態に係る空気調和機１００における室内熱交換器８Ｂとターボファン２６Ｂとの配置と、室内空気の流れを示す上断面図であり、図５（ｂ）は、図５（ａ）のＳ部の部分拡大図である。
【００３５】
図５（ａ）に示すように、ターボファンユニット２６Ｂから室内機２の背面側に向かって吹き出す空気２８は、室内機２の室内熱交換器８Ｂの左側面側とターボファン２６Ｂとの間の風路に集まり、増速（増速した空気２９）する。
【００３６】
このため、図５（ｂ）に示すように、増速した空気２９は、矢印３０で示す室内熱交換器８Ｂの左側面のフィン１１とフィン１１の隙間に入り込めず、室内熱交換器８Ｂの前面側に流れてしまい、室内熱交換器８の上流側（入口側、ターボファンユニット２６の側）の風速分布が不均一となる。
【００３７】
そこで、第１実施形態に係る空気調和機１００は、図４に示すように、室内機２の室内熱交換器８Ｂの右側面側とターボファン２６Ｂとの間の最短距離を距離Ａ３とし、室内機２の室内熱交換器８Ｂの左側面側とターボファン２６Ｂとの間の最短距離を距離Ａ４として、距離Ａ４が距離Ａ３よりも広くなる（Ａ４＞Ａ３）ように室内熱交換器８Ｂとターボファン２６Ｂを配置する。
【００３８】
即ち、ターボファンユニット２６から室内機２の背面に向かって吹き出された空気２８（図５（ａ）参照）がターボファンユニット２６の回転方向に沿って流れる側（ターボファンユニット２６Ｂにおいては左側面の側）における室内熱交換器８の側面側とターボファン２６との間の最短距離（距離Ａ４）を、反対側における室内熱交換器８の側面側とターボファン２６との間の最短距離（距離Ａ３）よりも広くなるように、室内熱交換器８とターボファン２６を配置する。
【００３９】
また、換言すれば、ターボファンユニット２６が背面側から前面側に向かって回転する側（ターボファンユニット２６Ｂにおいては左側面の側）における室内熱交換器８の側面側とターボファン２６との間の最短距離（距離Ａ４、第１距離）を、ターボファンユニット２６が前面側から背面側に向かって回転する側（ターボファンユニット２６Ｂにおいては右側面の側）における室内熱交換器８の側面側とターボファン２６との間の最短距離（距離Ａ３、第２距離）よりも広くなるように、室内熱交換器８とターボファン２６を配置する。
【００４０】
このように室内熱交換器８Ｂとターボファン２６Ｂを配置することにより、室内熱交換器８Ｂの左側面側とターボファン２６Ｂとの間の風路における増速を抑制し、室内熱交換器８Ｂの左側面側にも風が流れやすくなり、風速分布を均一化することができる。風速分布を均一化して、室内熱交換器８Ｂの熱交換性能を向上させることにより、空気調和機１００の省エネルギ性が向上する。
【００４１】
同様に、第１実施形態に係る空気調和機１００は、図４に示すように、室内機２の室内熱交換器８Ａの右側面側とターボファン２６Ａとの間の最短距離を距離Ａ１（第１距離）とし、室内機２の室内熱交換器８Ａの左側面側とターボファン２６Ａとの間の最短距離を距離Ａ２（第２距離）として、距離Ａ１が距離Ａ２よりも広くなる（Ａ１＞Ａ２）ように室内熱交換器８Ａとターボファン２６Ａを配置する。
【００４２】
このように室内熱交換器８Ａとターボファン２６Ａを配置することにより、室内熱交換器８Ａの右側面側とターボファン２６Ａとの間の風路における増速を抑制し、室内熱交換器８Ａの右側面側にも風が流れやすくなり、風速分布を均一化することができる。風速分布を均一化して、室内熱交換器８Ａの熱交換性能を向上させることにより、空気調和機１００の省エネルギ性が向上する。
【００４３】
なお、第１実施形態に係る空気調和機１００では、距離Ａ１が距離Ａ２よりも広く（Ａ１＞Ａ２）、距離Ａ４が距離Ａ３よりも広く（Ａ４＞Ａ３）なるものとして説明したが、これに限られるものではない。図３に示すターボファン９と室内熱交換器８の距離が狭い場合には、ターボファン９とドレインパン２３が接触してしまうため、距離Ａ１と距離Ａ２を等しく（Ａ１＝Ａ２）し、距離Ａ４と距離Ａ３を等しく（Ａ４＞Ａ３）してもよい。
【００４４】
≪第２実施形態≫
次に、第２実施形態に係る空気調和機１００について、図６を用いて説明する。図６は、第２実施形態に係る空気調和機１００の室内機２の上断面図である。
【００４５】
第２実施形態に係る空気調和機１００の室内機２（図６参照）は、第１実施形態に係る空気調和機１００の室内機２（図４参照）と比較して、ターボファンユニット２６（２６Ａ，２６Ｂ）の回転方向が異なっている。また、ターボファンユニット２６（２６Ａ，２６Ｂ）と室内熱交換器８（８Ａ，８Ｂ）との配置関係が異なっている。その他の構成は同様であり、重複する説明は省略する。
【００４６】
図６に示すように、第２実施形態に係る空気調和機１００の室内機２の２つのターボファンユニット２６（２６Ａ，２６Ｂ）は、双方が逆の方向に回転し、双方が前面側（吹出口１５の側）で仕切り板２４から遠ざかる方向に回転する。即ち、図６に示すように、右側面側のターボファンユニット２６Ａは反時計回りに回転し、左側面側のターボファンユニット２６Ｂは時計回りに回転する。
【００４７】
第２実施形態に係る空気調和機１００は、図６に示すように、室内機２の室内熱交換器８Ａの右側面側とターボファン２６Ａとの間の最短距離を距離Ａ１（第２距離）とし、室内機２の室内熱交換器８Ａの左側面側とターボファン２６Ａとの間の最短距離を距離Ａ２（第１距離）として、距離Ａ２が距離Ａ１よりも広くなる（Ａ２＞Ａ１）ように室内熱交換器８Ａとターボファン２６Ａを配置する。また、室内機２の室内熱交換器８Ｂの右側面側とターボファン２６Ｂとの間の最短距離を距離Ａ３（第１距離）とし、室内機２の室内熱交換器８Ｂの左側面側とターボファン２６Ｂとの間の最短距離を距離Ａ４（第２距離）として、距離Ａ３が距離Ａ４よりも広くなる（Ａ３＞Ａ４）ように室内熱交換器８Ｂとターボファン２６Ｂを配置する。
【００４８】
このように室内熱交換器８（８Ａ，８Ｂ）とターボファン２６（２６Ａ，２６Ｂ）を配置することにより、室内熱交換器８の上流側（入口側、ターボファンユニット２６の側）の風速分布を均一化して、室内熱交換器８の熱交換性能を向上させることにより、空気調和機１００の省エネルギ性が向上する。
【００４９】
≪第３実施形態≫
次に、第３実施形態に係る空気調和機１００について、図７を用いて説明する。図７は、第３実施形態に係る空気調和機１００の室内機２の上断面図である。
【００５０】
第３実施形態に係る空気調和機１００の室内機２（図７参照）は、第１実施形態に係る空気調和機１００の室内機２（図４参照）と比較して、ターボファンユニット２６（２６Ａ，２６Ｂ）の回転方向が異なっている。また、ターボファンユニット２６（２６Ａ，２６Ｂ）と室内熱交換器８（８Ａ，８Ｂ）との配置関係が異なっている。その他の構成は同様であり、重複する説明は省略する。
【００５１】
図７に示すように、第３実施形態に係る空気調和機１００の室内機２の２つのターボファンユニット２６（２６Ａ，２６Ｂ）は、双方が同じ方向に回転し、双方が前面側（吹出口１５の側）で左側面側から右側面側の方向に回転する。即ち、図７に示すように、右側面側のターボファンユニット２６Ａおよび左側面側のターボファンユニット２６Ｂは反時計回りに回転する。
【００５２】
第３実施形態に係る空気調和機１００は、図７に示すように、室内機２の室内熱交換器８Ａの右側面側とターボファン２６Ａとの間の最短距離を距離Ａ１（第２距離）とし、室内機２の室内熱交換器８Ａの左側面側とターボファン２６Ａとの間の最短距離を距離Ａ２（第１距離）として、距離Ａ２が距離Ａ１よりも広くなる（Ａ２＞Ａ１）ように室内熱交換器８Ａとターボファン２６Ａを配置する。また、室内機２の室内熱交換器８Ｂの右側面側とターボファン２６Ｂとの間の最短距離を距離Ａ３（第２距離）とし、室内機２の室内熱交換器８Ｂの左側面側とターボファン２６Ｂとの間の最短距離を距離Ａ４（第１距離）として、距離Ａ４が距離Ａ３よりも広くなる（Ａ４＞Ａ３）ように室内熱交換器８Ｂとターボファン２６Ｂを配置する。
【００５３】
このように室内熱交換器８（８Ａ，８Ｂ）とターボファン２６（２６Ａ，２６Ｂ）を配置することにより、室内熱交換器８の上流側（入口側、ターボファンユニット２６の側）の風速分布を均一化して、室内熱交換器８の熱交換性能を向上させることにより、空気調和機１００の省エネルギ性が向上する。
【００５４】
なお、図示は省略するが、ターボファンユニット２６Ａおよびターボファンユニット２６Ｂが時計回りに回転する場合、距離Ａ１（第１距離）が距離Ａ２（第２距離）よりも広くなる（Ａ１＞Ａ２）ように室内熱交換器８Ａとターボファン２６Ａを配置し、距離Ａ３（第１距離）が距離Ａ４（第２距離）よりも広くなる（Ａ３＞Ａ４）ように室内熱交換器８Ｂとターボファン２６Ｂを配置すればよい。
【００５５】
≪第４実施形態≫
次に、第４実施形態に係る空気調和機１００について、図８を用いて説明する。図８は、第４実施形態に係る空気調和機１００の室内機２の上断面図である。
【００５６】
第１から第３実施形態に係る空気調和機１００の室内機２（図４、図６、図７参照）は、室内熱交換器８（８Ａ，８Ｂ）とターボファン２６（２６Ａ，２６Ｂ）の配置により、室内熱交換器８の風速分布を均一化するようになっている。これに対し、第４実施形態に係る空気調和機１００の室内機２（図８参照）は、室内熱交換器８と室内機２の側面（断熱材２２または仕切り板２４）の配置により、室内熱交換器８の風速分布を均一化するようになっている。その他の構成は同様であり、重複する説明は省略する。
【００５７】
図８に示すように、１つのターボファンユニット２６（２６Ａ，２６Ｂ）に対して、１つの室内熱交換器８（８Ａ，８Ｂ）を略コ字状に囲うように配置するようになっている。また、仕切り板２４は、室内空気（調和空気）の流れからみて、室内熱交換器８の下流側（吹出口１５の側）に配置されている。また、室内熱交換器８（８Ａ，８Ｂ）は、室内機２の前面側（吹出口１５の側）に向かって窄まるように形成されている。
【００５８】
図８に示すように、第４実施形態に係る空気調和機１００の室内機２の２つのターボファンユニット２６（２６Ａ，２６Ｂ）は、双方が逆の方向に回転し、双方が前面側（吹出口１５の側）で仕切り板２４に向かう方向に回転する。即ち、図４に示すように、右側面側のターボファンユニット２６Ａは時計回りに回転し、左側面側のターボファンユニット２６Ｂは反時計回りに回転する。
【００５９】
ここで、図５（ａ）および図５（ｂ）を用いて説明したように、増速した空気２９は、矢印３０で示す室内熱交換器８Ｂの左側面のフィン１１とフィン１１の隙間に入り込めず、室内熱交換器８Ｂの前面側に流れてしまい、室内熱交換器８の上流側（入口側、ターボファンユニット２６の側）の風速分布が不均一となる。
【００６０】
そこで、第４実施形態に係る空気調和機１００は、図８に示すように、室内機２の室内熱交換器８Ｂの右側面側と室内機２の仕切り板２４との間の最短距離を距離Ｂ３とし、室内機２の室内熱交換器８Ｂの左側面側と室内機２の側面（左側面側の断熱材２２）との間の最短距離を距離Ｂ４として、距離Ｂ４が距離Ｂ３よりも広くなる（Ｂ４＞Ｂ３）ように室内熱交換器８Ｂを配置する。
【００６１】
即ち、ターボファンユニット２６から室内機２の背面に向かって吹き出された空気２８（図５（ａ）参照）がターボファンユニット２６の回転方向に沿って流れる側（ターボファンユニット２６Ｂにおいては左側面の側）における室内熱交換器８の側面側と室内機２の側面（ここでは、左側面側の断熱材２２）との間の最短距離（距離Ｂ４、第３距離）を、反対側における室内熱交換器８の側面側と室内機２の側面（ここでは、仕切り板２４）との間の最短距離（距離Ｂ３、第４距離）よりも広くなるように、室内熱交換器８を配置する。
【００６２】
また、換言すれば、ターボファンユニット２６が背面側から前面側に向かって回転する側（ターボファンユニット２６Ｂにおいては左側面の側）における室内熱交換器８の側面側と室内機２の側面（ここでは、左側面側の断熱材２２）との間の最短距離（距離Ｂ４、第３距離）を、ターボファンユニット２６が前面側から背面側に向かって回転する側（ターボファンユニット２６Ｂにおいては右側面の側）における室内熱交換器８の側面側と室内機２の側面（ここでは、仕切り板２４）との間の最短距離（距離Ｂ３、第４距離）よりも広くなるように、室内熱交換器８を配置する。
【００６３】
このように室内熱交換器８Ｂを配置することにより、左側面側の通風抵抗を低減して、室内熱交換器８Ｂの左側面側にも風が流れやすくなり、風速分布を均一化することができる。風速分布を均一化して、室内熱交換器８Ｂの熱交換性能を向上させることにより、空気調和機１００の省エネルギ性が向上する。
【００６４】
同様に、第４実施形態に係る空気調和機１００は、図８に示すように、室内機２の室内熱交換器８Ａの右側面側と室内機２の側面（右側面側の断熱材２２）との間の最短距離を距離Ｂ１（第３距離）とし、室内機２の室内熱交換器８Ａの左側面側と室内機２の仕切り板２４との間の最短距離を距離Ｂ２（第４距離）として、距離Ｂ１が距離Ｂ２よりも広くなる（Ｂ１＞Ｂ２）ように室内熱交換器８Ａを配置する。
【００６５】
このように室内熱交換器８Ａを配置することにより、右側面側の通風抵抗を低減して、室内熱交換器８Ａの右側面側にも風が流れやすくなり、風速分布を均一化することができる。風速分布を均一化して、室内熱交換器８Ａの熱交換性能を向上させることにより、空気調和機１００の省エネルギ性が向上する。
【００６６】
≪第５実施形態≫
次に、第５実施形態に係る空気調和機１００について、図９を用いて説明する。図９は、第５実施形態に係る空気調和機１００の室内機２の上断面図である。
【００６７】
第５実施形態に係る空気調和機１００の室内機２（図９参照）は、第４実施形態に係る空気調和機１００の室内機２（図８参照）と比較して、ターボファンユニット２６（２６Ａ，２６Ｂ）の回転方向が異なっている。また、室内熱交換器８と室内機２の側面（断熱材２２または仕切り板２４）との配置関係が異なっている。その他の構成は同様であり、重複する説明は省略する。
【００６８】
図９に示すように、第５実施形態に係る空気調和機１００の室内機２の２つのターボファンユニット２６（２６Ａ，２６Ｂ）は、双方が逆の方向に回転し、双方が前面側（吹出口１５の側）で仕切り板２４から遠ざかる方向に回転する。即ち、図９に示すように、右側面側のターボファンユニット２６Ａは反時計回りに回転し、左側面側のターボファンユニット２６Ｂは時計回りに回転する。
【００６９】
第５実施形態に係る空気調和機１００は、図９に示すように、室内機２の室内熱交換器８Ａの右側面側と室内機２の側面（右側面側の断熱材２２）との間の最短距離を距離Ｂ１（第４距離）とし、室内機２の室内熱交換器８Ａの左側面側と室内機２の仕切り板２４との間の最短距離を距離Ｂ２（第３距離）として、距離Ｂ２が距離Ｂ１よりも広くなる（Ｂ２＞Ｂ１）ように室内熱交換器８Ａを配置する。また、室内機２の室内熱交換器８Ｂの右側面側と室内機２の仕切り板２４との間の最短距離を距離Ｂ３（第３距離）とし、室内機２の室内熱交換器８Ｂの左側面側と室内機２の側面（左側面側の断熱材２２）との間の最短距離を距離Ｂ４（第４距離）として、距離Ｂ３が距離Ｂ４よりも広くなる（Ｂ３＞Ｂ４）ように室内熱交換器８Ｂを配置する。
【００７０】
このように室内熱交換器８（８Ａ，８Ｂ）を配置することにより、風速分布を均一化して、室内熱交換器８の熱交換性能を向上させることにより、空気調和機１００の省エネルギ性が向上する。
【００７１】
≪第６実施形態≫
次に、第６実施形態に係る空気調和機１００について、図１０を用いて説明する。図１０は、第６実施形態に係る空気調和機１００の室内機２の上断面図である。
【００７２】
第６実施形態に係る空気調和機１００の室内機２（図１０参照）は、第４実施形態に係る空気調和機１００の室内機２（図８参照）と比較して、ターボファンユニット２６（２６Ａ，２６Ｂ）の回転方向が異なっている。また、室内熱交換器８と室内機２の側面（断熱材２２または仕切り板２４）との配置関係が異なっている。その他の構成は同様であり、重複する説明は省略する。
【００７３】
図１０に示すように、第６実施形態に係る空気調和機１００の室内機２の２つのターボファンユニット２６（２６Ａ，２６Ｂ）は、双方が同じ方向に回転し、双方が前面側（吹出口１５の側）で左側面側から右側面側の方向に回転する。即ち、図１０に示すように、右側面側のターボファンユニット２６Ａおよび左側面側のターボファンユニット２６Ｂは反時計回りに回転する。
【００７４】
第６実施形態に係る空気調和機１００は、図１０に示すように、室内機２の室内熱交換器８Ａの右側面側と室内機２の側面（右側面側の断熱材２２）との間の最短距離を距離Ｂ１（第４距離）とし、室内機２の室内熱交換器８Ａの左側面側と室内機２の仕切り板２４との間の最短距離を距離Ｂ２（第３距離）として、距離Ｂ２が距離Ｂ１よりも広くなる（Ｂ２＞Ｂ１）ように室内熱交換器８Ａを配置する。また、室内機２の室内熱交換器８Ｂの右側面側と室内機２の仕切り板２４との間の最短距離を距離Ｂ３（第４距離）とし、室内機２の室内熱交換器８Ｂの左側面側と室内機２の側面（左側面側の断熱材２２）との間の最短距離を距離Ｂ４（第３距離）として、距離Ｂ４が距離Ｂ３よりも広くなる（Ｂ４＞Ｂ３）ように室内熱交換器８Ｂを配置する。
【００７５】
このように室内熱交換器８（８Ａ，８Ｂ）を配置することにより、風速分布を均一化して、室内熱交換器８の熱交換性能を向上させることにより、空気調和機１００の省エネルギ性が向上する。
【００７６】
なお、図示は省略するが、ターボファンユニット２６Ａおよびターボファンユニット２６Ｂが時計回りに回転する場合、距離Ｂ１（第３距離）が距離Ｂ２（第４距離）よりも広くなる（Ｂ１＞Ｂ２）ように室内熱交換器８Ａを配置し、距離Ｂ３（第３距離）が距離Ｂ４（第４距離）よりも広くなる（Ｂ３＞Ｂ４）ように室内熱交換器８Ｂを配置すればよい。
【００７７】
≪第７実施形態≫
次に、第７実施形態に係る空気調和機１００について、図１１を用いて説明する。図１１は、第７実施形態に係る空気調和機１００の室内機２の上断面図である。
【００７８】
第４から第６実施形態に係る空気調和機１００の室内機２（図８、図９、図１０参照）は、室内熱交換器８と室内機２の側面（断熱材２２または仕切り板２４）の配置により、室内熱交換器８の風速分布を均一化するようになっている。これに対し、第７実施形態に係る空気調和機１００の室内機２（図１１参照）は、室内熱交換器８の側面側直線部の長さにより、室内熱交換器８の風速分布を均一化するようになっている。その他の構成は同様であり、重複する説明は省略する。
【００７９】
図１１に示すように、１つのターボファンユニット２６（２６Ａ，２６Ｂ）に対して、１つの室内熱交換器８（８Ａ，８Ｂ）を略コ字状に囲うように配置するようになっている。また、仕切り板２４は、室内空気（調和空気）の流れからみて、室内熱交換器８の下流側（吹出口１５の側）に配置されている。また、室内熱交換器８（８Ａ，８Ｂ）は、室内機２の前面側（吹出口１５の側）に向かって窄まるように形成されている。
【００８０】
図１１に示すように、第５実施形態に係る空気調和機１００の室内機２の２つのターボファンユニット２６（２６Ａ，２６Ｂ）は、双方が逆の方向に回転し、双方が前面側（吹出口１５の側）で仕切り板２４から遠ざかる方向に回転する。即ち、図１１に示すように、右側面側のターボファンユニット２６Ａは反時計回りに回転し、左側面側のターボファンユニット２６Ｂは時計回りに回転する。
【００８１】
第７実施形態に係る空気調和機１００は、図１１に示すように、室内機２の室内熱交換器８Ａの右側面側の直線部の距離を距離Ｃ１（第５距離）とし、室内機２の室内熱交換器８Ａの左側面側の直線部を距離Ｃ２（第６距離）として、距離Ｃ１が距離Ｃ２よりも長くなる（Ｃ１＞Ｃ２）ように室内熱交換器８Ａを配置する。また、室内機２の室内熱交換器８Ｂの右側面側の直線部の距離を距離Ｃ３（第６距離）とし、室内機２の室内熱交換器８Ｂの左側面側の直線部の距離を距離Ｃ４（第５距離）として、距離Ｃ４が距離Ｃ３よりも長くなる（Ｃ４＞Ｃ３）ように室内熱交換器８Ｂを配置する。
【００８２】
即ち、ターボファンユニット２６が前面側から背面側に向かって回転する側（ターボファンユニット２６Ａにおいては右側面の側、ターボファンユニット２６Ｂにおいては左側面の側）における室内熱交換器８の直線部の距離（距離Ｃ１，Ｃ４、第５距離）を、ターボファンユニット２６が背面側から前面側に向かって回転する側（ターボファンユニット２６Ａにおいては左側面の側、ターボファンユニット２６Ｂにおいては右側面の側）における室内熱交換器８の直線部の距離（距離Ｃ２，Ｃ３、第６距離）よりも長くなるように、室内熱交換器８を配置する。
【００８３】
換言すれば、２つのターボファンユニット２６Ａ，２６Ｂの間で室内機２の背面にある冷媒配管スペース２７に設けられた冷媒配管である継手部品（図示せず）によって、２つの室内熱交換器８Ａ，８Ｂが接続され、冷媒流路を形成し、全体として１つの室内熱交換器８を構成する。そして、ターボファンユニット２６（２６Ａ，２６Ｂ）の両側面に位置する室内熱交換器８（８Ａ，８Ｂ）のうち室内熱交換器８Ａ，８Ｂを接続する継手部品（図示せず）の側の距離（距離Ｃ２，Ｃ３、第６距離）が、他側の距離（距離Ｃ１，Ｃ４、第５距離）よりも短くなるように配置している。
【００８４】
このように室内熱交換器８（８Ａ，８Ｂ）を配置することにより、有効熱交換器面積の大きい領域に長い熱交換器を配置し、風速分布を均一化して、室内熱交換器８の熱交換性能を向上させることにより、空気調和機１００の省エネルギ性が向上する。
【００８５】
≪第８実施形態≫
次に、第８実施形態に係る空気調和機１００について、図１２を用いて説明する。図１２は、第８実施形態に係る空気調和機１００の室内機２の上断面図である。
【００８６】
図１２に示すように、１つのターボファンユニット２６（２６Ａ，２６Ｂ）に対して、１つの室内熱交換器８（８Ａ，８Ｂ）を略コ字状に囲うように配置するようになっている。また、仕切り板２４は、室内空気（調和空気）の流れからみて、室内熱交換器８の下流側（吹出口１５の側）に配置されている。また、室内熱交換器８（８Ａ，８Ｂ）は、室内機２の前面側（吹出口１５の側）に向かって窄まるように形成されている。
【００８７】
図１２に示すように、第５実施形態に係る空気調和機１００の室内機２の２つのターボファンユニット２６（２６Ａ，２６Ｂ）は、双方が逆の方向に回転し、双方が前面側（吹出口１５の側）で仕切り板２４に近づく方向に回転する。即ち、図１２に示すように、右側面側のターボファンユニット２６Ａは時計回りに回転し、左側面側のターボファンユニット２６Ｂは反時計回りに回転する。
【００８８】
第８実施形態に係る空気調和機１００は、図１２に示すように、室内機２の室内熱交換器８Ａの右側面側の直線部の距離を距離Ｃ１（第６距離）とし、室内機２の室内熱交換器８Ａの左側面側の直線部を距離Ｃ２（第５距離）として、距離Ｃ２が距離Ｃ１よりも長くなる（Ｃ２＞Ｃ１）ように室内熱交換器８Ａを配置する。また、室内機２の室内熱交換器８Ｂの右側面側の直線部の距離を距離Ｃ３（第５距離）とし、室内機２の室内熱交換器８Ｂの左側面側の直線部の距離を距離Ｃ４（第６距離）として、距離Ｃ３が距離Ｃ４よりも長くなる（Ｃ３＞Ｃ４）ように室内熱交換器８Ｂを配置する。
【００８９】
このように室内熱交換器８（８Ａ，８Ｂ）を配置することにより、有効熱交換器面積の大きい領域に長い熱交換器を配置し、風速分布を均一化して、室内熱交換器８の熱交換性能を向上させることにより、空気調和機１００の省エネルギ性が向上する。
【００９０】
≪第９実施形態≫
次に、第９実施形態に係る空気調和機１００について、図１３を用いて説明する。図１３は、第９実施形態に係る空気調和機１００の室内機２の上断面図である。
【００９１】
第１から第８実施形態に係る空気調和機１００の室内機２（図４、図６から図１２参照）は、吹出口１５（図３参照）が前面側のみに設けられており、前面の１方向に向かって調和空気を吹き出すようになっている。これに対し、第９実施形態に係る空気調和機１００の室内機２（図１３参照）は、前面と左右の側面の３方向に向かって調和空気を吹き出すようになっている。このため、前面側の吹出口１５（図３参照）には風向板１７が配置され、右側面側の吹出口には風向板１７Ａが配置され、左側面側の吹出口には風向板１７Ｂが配置されている。吹き出し方向を３方向とすることで、吹出口の風路面積を拡大し、風路抵抗を低減することができる。
【００９２】
図１３に示すように、１つのターボファンユニット２６（２６Ａ，２６Ｂ）に対して、１つの室内熱交換器８（８Ａ，８Ｂ）を略コ字状に囲うように配置するようになっている。また、仕切り板２４は、室内空気（調和空気）の流れからみて、室内熱交換器８の下流側（吹出口１５の側）に配置されている。
【００９３】
また、室内熱交換器８（８Ａ，８Ｂ）は、室内機２の前面側（吹出口１５の側）に向かって窄まるように形成されている。ここで、室内熱交換器８の側面（室内熱交換器８Ａの左側面側および室内熱交換器８Ｂの右側面側）と仕切り板２４の間には所定の隙間を設け、さらに、この隙間は室内機２の前面側（吹出口１５の側）にいくほど拡大するように形成されている。
【００９４】
一方、室内熱交換器８Ａの右側面側は、風向板１７Ａを有する右側面側の吹出口に面しているため、風路抵抗が小さくなっている。このため、室内熱交換器８Ａの右側面側は、室内熱交換器８Ａの長さを確保するために（室内熱交換器８Ａの伝熱面積を確保するために）、室内機２の前後方向と平行になるように配置されることが望ましい。同様に、室内熱交換器８Ｂの左側面側は、風向板１７Ｂを有する左側面側の吹出口に面しているため、風路抵抗が小さくなっている。このため、室内熱交換器８Ｂの左側面側は、室内熱交換器８Ｂの長さを確保するために（室内熱交換器８Ｂの伝熱面積を確保するために）、室内機２の前後方向と平行になるように配置されることが望ましい。
【００９５】
また、図１３に示すように、第９実施形態に係る空気調和機１００の室内機２の２つのターボファンユニット２６（２６Ａ，２６Ｂ）は、双方が逆の方向に回転し、双方が前面側（吹出口１５の側）で仕切り板２４に向かう方向に回転する。即ち、図１３に示すように、右側面側のターボファンユニット２６Ａは時計回りに回転し、左側面側のターボファンユニット２６Ｂは反時計回りに回転する。
【００９６】
図５（ａ）および図５（ｂ）を用いて説明したように、増速した空気２９は、矢印３０で示す室内熱交換器８Ｂの左側面のフィン１１とフィン１１の隙間に入り込めず、室内熱交換器８Ｂの前面側に流れてしまい、室内熱交換器８の上流側（入口側、ターボファンユニット２６の側）の風速分布が不均一となるおそれがある。これに対し、第９実施形態に係る空気調和機１００は、室内機２の左側面側に風向板１７Ｂを有する吹出口が設けられていることにより、左側面側の通風抵抗を低減して、室内熱交換器８Ｂの左側面側にも風が流れやすくなり、風速分布を均一化することができる。風速分布を均一化して、室内熱交換器８Ｂの熱交換性能を向上させることにより、空気調和機１００の省エネルギ性が向上する。
【００９７】
同様に、第９実施形態に係る空気調和機１００は、室内機２の右側面側に風向板１７Ａを有する吹出口が設けられていることにより、右側面側の通風抵抗を低減して、室内熱交換器８Ａの右側面側にも風が流れやすくなり、風速分布を均一化することができる。風速分布を均一化して、室内熱交換器８Ａの熱交換性能を向上させることにより、空気調和機１００の省エネルギ性が向上する。
【００９８】
≪変形例≫
なお、本実施形態（第１から第９実施形態）に係る空気調和機１００は、上記実施形態の構成に限定されるものではなく、発明の趣旨を逸脱しない範囲内で種々の変更が可能である。
【００９９】
本実施形態（第１から第９実施形態）に係る空気調和機１００は、図３に示すように、室内機２の上面と下面に吸込口１４を配置するものとして説明したが、これに限られるものではない。例えば、吸込口１４を下面のみに配置する空気調和機であってもよく、吸込口１４を上面のみに配置する空気調和機であってもよい。また、吹出口を前面下部や前面上部に配置してもよい。
【０１００】
本実施形態（第１から第９実施形態）に係る空気調和機１００は、図４等に示すように、ターボファンユニット２６を２つ備えるものとして説明したが、これに限られるものではない。例えば、ターボファンユニット２６を３つ以上備えていてもよい。
【０１０１】
本実施形態（第１から第９実施形態）に係る空気調和機１００は、室内機２の室内熱交換器８とターボファン９（ターボファンユニット２６）について説明したが、これに限られるものではない。例えば、室外機１のプロペラファン６（図１参照）をターボファンとし、室外機１の室外熱交換器５とターボファン（図１のプロペラファン６に相当）について、本発明を適用してもよい。
【０１０２】
１      室外機（筺体）
２      室内機（筺体）
３      圧縮機
４      四方弁
５      室外熱交換器
６      プロペラファン
７      膨張弁
８、８Ａ、８Ｂ  室内熱交換器（熱交換器）
９      ターボファン
１０    配管
１１    フィン
１２    伝熱管
１３    継手部品
１４    吸込口（空気吸込口）
１５    吹出口（空気吹出口）
１６    エアフィルタ
１７、１７Ａ、１７Ｂ  風向板
１８    冷媒配管
１９    ドレイン配管
２０    モータ軸（回転軸）
２１    ファンモータ
２２    断熱材
２３    ドレインパン
２４    仕切り板
２５    電気品箱
２６、２６Ａ、２６Ｂ  ターボファンユニット（ターボファン）
２７    冷媒配管スペース
Ａ１〜Ａ４，Ｂ１〜Ｂ４，Ｃ１〜Ｃ４  距離
【図１】
0006302361.tif 000002
【図２】
0006302361.tif 000003
【図３】
0006302361.tif 000004
【図４】
0006302361.tif 000005
【図５】
0006302361.tif 000006
【図６】
0006302361.tif 000007
【図７】
0006302361.tif 000008
【図８】
0006302361.tif 000009
【図９】
0006302361.tif 000010
【図１０】
0006302361.tif 000011
【図１１】
0006302361.tif 000012
【図１２】
0006302361.tif 000013
【図１３】
0006302361.tif 000014